(57)【要約】【課題】複合材の積層構造体を加熱、加圧、成形するオートクレーブにおいて、稼働中、成形材を装填するワークゾーン１０内の各領域の雰囲気温度に、所定以上の温度差が生じないようにした熱風循環方法及び装置を提供する。【解決手段】水平循環型オートクレーブにおいて、ワークゾーン１０を長手軸方向に境界を設けず複数のセクションに区画し、各セクション毎に、圧力容器２の外壁上部で軸線方向に沿い、容器２の長手軸心に直交する回転軸を備えた撹拌モーター１３…を配置し、該回転軸を容器２壁、外通風路４及びマッフル炉３壁を貫いてワークゾーン１０内天井迄伸出させ、先端に撹拌扇１４…を取付け、この撹拌扇に対応しマッフル炉３内壁に、対向して補助ヒーター１７…を配置し、撹拌扇１４…で流通するガスを撹拌、混合し、補助ヒーター１７…からの熱量を分散して、マッフル炉３の上流側から下流側迄の間で雰囲気温度差が生じないようにする。【選択図】図１
2006088049.tif 000002
【特許請求の範囲】
【請求項１】
圧力容器内に同容器と略、同心に設置した両端開放のマッフル炉の外壁と前記圧力容器内壁との間に外通風路を設け、前記マッフル炉の一方端に隣接してクーラー・メインヒーターを設けると共に、クーラー・メインヒーターに対して直列に圧力容器の一端に配置したファンを駆動し、マッフル炉内のガスをクーラー・メインヒーターを通して吸引し外通風路を流通させ、圧力容器の他方端で反転して、再び、マッフル炉内に戻すような循環経路を形成した、圧力容器内で材料を加圧・加熱、冷却し、成形材を接着、成形するオートクレーブにおいて、前記マッフル炉内を長手軸方向に境界を設けずに複数のセクションに区画し、それぞれのセクション毎に、圧力容器外壁の長手軸方向に間隔を置いて撹拌用モーターを設置し、前記モーターのシャフトを圧力容器の長手軸心に対して直角方向に配置し、その端部を前記外通風路及びマッフル炉壁を貫通して前記炉内に伸出せしめ、前記シャフトの先端に撹拌扇を取付け、対応してマッフル炉内側壁に補助ヒーターを設置し、各補助ヒーターによってマッフル炉内を流通するガスへ成形材・治具・工具等に消費した熱量を補給する一方、撹拌扇で前記ガス流を撹拌・混合して、マッフル炉内のガスの主たる流れに混・乱流を発生させることを特徴とするオートクレーブの熱風循環方法。
【請求項２】
マッフル炉内を長手軸方向に境界を設けずに複数のセクションに区画し、それぞれのセクション毎に温度調節センサーを配置して、前記温度調節センサーからの信号に基づき、各セクション内の雰囲気温度を設定値に保持するよう、補助ヒーターの出力を制御することを特徴とする請求項１記載のオートクレーブの熱風循環方法。
【請求項３】
筒形圧力容器内で、同圧力容器と略、同心に設置した両端開放のマッフル炉の外壁と圧力容器内壁との間に外通風路を設け、マッフル炉の一方端に隣接してクーラー・メインヒーターを設けると共に、クーラー・メインヒーターに対して直列に圧力容器の一端に配置したファンを駆動して、マッフル炉内のガスを吸引し外通風路を流通させ、圧力容器の他方端で反転して、再び、マッフル炉内に戻すような循環経路を形成した、圧力容器内で材料を加圧・加熱、冷却し、成形材を接着、成形するオートクレーブにおいて、前記マッフル炉内を長手軸方向に境界を設けずに複数のセクションに区画し、それぞれのセクション毎に、圧力容器外壁上部の長手軸方向に間隔を置いて撹拌用モーターを設置し、前記モーターのシャフトを圧力容器の長手軸心に対し直角方向に配置して、その端部を前記外通風路及びマッフル炉壁を貫通して前記炉内に伸出せしめ、前記シャフトの先端に撹拌扇を取付け、マッフル炉内側壁に対応して一対の補助ヒーターを設置し、前記補助ヒーターによってマッフル炉内を流通するガスに対し、成形材・治具・工具等に消費した熱量を補給する一方、各撹拌扇で前記ガス流を撹拌・混合して、マッフル炉内のガスの主たる流れに混・乱流を発生させることを特徴とするオートクレーブの熱風循環装置。
【発明の詳細な説明】
【技術分野】
【０００１】
本発明は、航空機、レーシングカー、産業機械等の部品としての複合材料（ＦＲＰ、ＣＦＲＰなど）を用いた積層構造体又は強化合せガラス、プラズマディスプレーガラス等の成形材料を加圧、加熱して、硬化、接着・成形するのに用いられるオートクレーブにおける熱風循環方法及びその装置に関する。
【背景技術】
【０００２】
従来、接着又は圧着成形する材料をオートクレーブ内で加圧、加熱する際の、オートクレーブ内における熱風循環方法として、例えば、特開昭５８−６２０１８号公報、特開昭６０−２５８９９６号公報、特開昭６１−９４７４２号公報、特開昭６２−２８２２８号公報、特開平２−１４７３０号公報記載のもの等、多数が知られている。
【０００３】
これらの構成は、大方、図４（ａ）に示すように、一方開放端に密閉可能な扉（蓋）１を備えた筒形圧力容器２内に、これと同心に両端開放の筒形マッフル炉３を配置して圧力容器内壁とマッフル炉外壁との間に外通風路（風胴）４を設けると共に、マッフル炉３の開放端の一方に前記マッフル炉と直列にヒーター５・クーラー６を配置し、これと直列に圧力容器２の軸心方向一端外部に設備したモーター７の回転軸を容器底壁を貫いて内部に延長させ、その先端に取り付けた循環ファン８との間を風胴９によって連結させている。
【０００４】
前記筒形圧力容器２の内又は外壁は、熱効率の観点から隙間無く断熱材のライニングが施されている。
なお、マッフル炉３の内側空間はワークゾーン１０を形成し、ここに成形材（被加工材）１１、治具・工具及び台車を収容する。
圧力容器２内部は、別途、加圧設備（真空手段を含む）１２とバルブを介して連通して成るオートクレーブが一般である。
【０００５】
当該オートクレーブ内での加圧・加熱ガスの流通経路は、通常、次の通りである。
即ち、成形材１１を治具・工具及び台車と共にワークゾーン１０内に収容したのち、扉１で圧力容器２を密閉すると共に、バルブを開いて加圧設備１２から（通常）高圧ガスを圧力容器２内に供給して成形材１１を治具・工具に対し加圧する一方、モーター７を駆動して循環ファン８を回転させ、ヒーター５・クーラー６により加熱・調整した前記高圧ガスを風胴９を介して吸引し、これを放射方向に圧力容器２底壁に沿って旋回させながら外通風路４方向に送り出し、扉１側に向かって流通させる（矢印参照）。
【０００６】
圧力容器内壁に沿って、マッフル炉３外壁との間を略、水平に流れる高温・高圧ガスは、圧力容器２の他端（扉１）壁面に当って反転し、マッフル炉３の一方の開口部からワークゾーン１０内に流入し、成形材１１、治具・工具及び台車に沿って略、水平に流れ、再び、クーラー６・ヒーター５及び風胴９を介して循環ファン８側に吸引されるような循環流を形成している。
【０００７】
上述のような熱風循環方式（仮りに水平循環型と称する）を採用した従来のオートクレーブでは、循環ファン一台でオートクレーブ内の高圧・高温ガスを水平方向に流しているので、ガスが（ワークゾーン１０内で）上流側から下流側へ流れる途中で、成形材１１（治具・工具及び台車を含む）に熱を与えた分だけ、下流側の雰囲気温度が低下する。
モデルで示せば、図４（ｂ）のような雰囲気温度曲線が得られる。
図中、ｘ軸をワークゾーン１０の上流側から下流側長さＬ、ｙ軸は、雰囲気温度ｔ°Ｃとしている。
【０００８】
因に、上述タイプのオートクレーブにおいて、成形材１１の容量が４φｍ×１２ｍの場合、相対的に下流側の雰囲気温度が略、２°Ｃ程度、低くなり、４φｍ×２８ｍの場合は、下流側の雰囲気温度が相対的に略、５°Ｃ程度、低くなると言う、資料がある。
このように成形材の長さが長い程、ワークゾーン１０の上流部と下流側との雰囲気温度差が大きくなる傾向が見られる。
【０００９】
又、例えば、  マッフル炉容量    ：４０００φｍｍ×２５０００ｍｍ
加工材・治具・台車：３００００Ｋｇ
ガス循環量        ：１２００ｍ3／ｍｉｎ
平均流速          ：１．６ｍ／ｓｅｃ
の条件を与え、
後部のヒーター５（クーラー６の調節を含め）と循環ファン８を制御して、成形材１１を１°Ｃ／ｍｉｎで昇温させた場合は、ワークゾーン１０の上流側と下流側との温度差が約、１０．５°Ｃに達する。
と言った、資料（成形材の形状、材質によっても異なるが）も得られている。
【００１０】
このタイプでは、長尺材料に沿って水平方向に雰囲気ガスが流れるので流速ムラはでき難いが、長手軸方向の中央部付近で台車や材料の影響で、ワークゾーン１０の上部側が流れ易く偏流が生じる傾向がある。加えて、成形材が異形の場合は、ワークゾーン１０内の流速分布が乱れ、雰囲気ガスの温度分布・風速にバラツキが生じる。
又、機械構造的に見ても、負荷熱量はマッフル炉３の炉床部の方が天井部に比べて圧倒的に大きくなるので、床面に向かって温度も下がり易く、ガス流速も低下する。
【００１１】
要するに、稼働時にワークゾーン１０内空間域で雰囲気ガスの上下流方向で温度差が生じる。
ワークゾーン内空間の雰囲気ガスの温度分布に不均一が生じると、加工後の成形品の品質にバラツキが生じる恐れもあり、加工時間に余裕を採らねばならず、稼働能率に影響する。
【００１２】
オートクレーブ内での高圧・加熱ガスの流通経路には外に断面循環型と呼ばれる方式が知られている。これは、図５（ａ）に横断面略図で示すように、一端開口に密封式扉１を備えた筒形圧力容器２内空間に、これと略、同心に両端開放のマッフル炉３を設けて、前記圧力容器２内壁とマッフル炉３外壁との間に外通風路（風胴）４を形成すると共に、マッフル炉３内空間をワークゾーン１０として、この空間に成形材、治具・工具及び台車などを収納する（図６も参照のこと）。
【００１３】
前記圧力容器２（マッフル炉３）内空間を長手軸方向に境界無しで複数セクションに区画し、各セクション毎に、それぞれ圧力容器２の上部外壁の長手軸線方向に沿い、圧力容器２（若しくは、マッフル炉３）の軸心線に直角方向の回転軸を備えた撹拌モーター１３ａ、１３ｂ、１３ｃ…を配置し、当該回転軸を圧力容器２壁を貫いて外通風路４内に延伸させて、先端にそれぞれ撹拌扇１４ａ、１４ｂ、１４ｃ…を取り付け、これらを外通風路４内に配置する。
【００１４】
また、各セクション毎に、前記撹拌扇１４…（１４ａ、１４ｂ、１４ｃ…を代表する）に対向してマッフル炉３底壁にそれぞれ、ヒーター・クーラー１５ａ・１６ａ、１５ｂ・１６ｂ、１５ｃ・１６ｃ…を重ねて配置する。なお、各撹拌扇１４…のガス吸い込み口は、それぞれ対面するマッフル炉３壁に開口しており、各ヒーター１５…（１５ａ、１５ｂ、１５ｃ…を代表する）・クーラー１６…（１６ａ、１６ｂ、１６ｃ…を代表する）の配置位置には、それぞれ外通風路４とワークゾーン１０内空間との連通口を穿設する。
【００１５】
図６は、上記断面循環型オートクレーブの断面図を示し、同図（一つのセクションについて代表して解説をする。他のセクションも同様）を参照して、圧力容器２内の天井側でマッフル炉３の外側に配置された撹拌扇１４は、撹拌モーター１３の駆動によって回転し、ワークゾーン１０内のガスを吸込み口から吸い込んで、これを外通風路４側の左右方向で圧力容器２内壁に沿って遠心、送風（矢印方向）すると、外通風路４内のガスは、その流れに押し出され底部連通口を介しマッフル炉３内に流入して上昇流を形成し、その際、ヒーター１５・クーラー１６により加熱・調整されて、ワークゾーン１０内に送り込まれれる。
【００１６】
このガスは、ヒーター１５・クーラー１６を通過する間に加熱、調整され、さらに成形材（治具・工具及び台車を含む）の間を通り、再び、撹拌扇１４に戻るような、断面循環流を形成する。
【００１７】
上記に説明の断面循環流は、圧力容器２の長手軸方向に境界無しで区画した各セクション内で、それぞれ略、独立して生じる〔図５（ａ）参照〕。
各セクション毎にヒーター１５・クーラー１６の制御を行い、ワークゾーン１０内空間域での雰囲気の温度を調節する。尤も、ワークゾーン１０内でマッフル炉底のヒーター１５・クーラー１６側から撹拌扇１４に立ち上がる各循環流の間には境界が無いから、相互に干渉がある事は当然である。
また、相互に加熱温度を制御して、ワークゾーン１０内長手軸方向の雰囲気の温度を可及的に均一になし得る。
【００１８】
この撹拌扇１４の回転によるガスの断面循環流は、図６〔図５（ａ）も参照〕に示すように、圧力容器２内壁とマッフル炉３外壁との間に形成された外通風路４を圧力容器２内周壁に沿って両側下方に流下し、オートクレーブの底部付近に配置されたヒーター１５・クーラー１６の連通口を通過して、ワークゾーン１０内に流れ、再び、マッフル炉３天井の開口を介して撹拌扇１４の吸い込み口に戻る。
【００１９】
要するに、加熱ガスは、各セクション毎に独立して圧力容器２内壁に沿って流れワークゾーン１０（セクション毎）内を循環して、マッフル炉３（ワークゾーン１０）の長手軸方向の流れ要素は、積極的には与えられることがない。
即ち、当該ガス流は、さきに見た水平循環型のガス熱風流路の形を、マッフル炉３内の各セクション断面内に現出したと理解することができる。但し、異なる処は、ワークゾーン１０内で加熱ガスが、形成材（治具・工具及び台車を含む）の面（長手方向）に対し直角方向に流れる事である。
【００２０】
上述のような熱風循環方式（ここでは断面循環型と称する）を採用した従来のオートクレーブでは、加熱ガスは、各セクション毎に殆ど独立して循環し、ワークゾーン１０内での長手軸方向の雰囲気温度が、例えば、図５（ｂ）に示すように、各セクションの接続（隣接）部分で、若干、平均よりも低下する曲線となる。
【００２１】
図５（ｂ）中、ｘ軸をワークゾーン１０の上流側から下流側長さＬ、ｙ軸は、ワークゾーン内における雰囲気温度ｔ°Ｃとしている。当然に、圧力容器炉床部分の不均一な熱負荷による影響も解消する。
このタイプの循環流では、さきに述べたように長尺材料に対して直角方向に雰囲気ガスが流れるため、成形材の形状又は積載形式によっては、セクション内で殆ど流れが生じない場所ができる。
成形材の２段積みは不可で、一段積みでも上面と下面とでは温度差が生じる事がある。
長尺材料の処理には不向きである。
【特許文献１】特開昭６１−９４７４２号公報
【特許文献２】特開昭６２−２８２２８号公報
【特許文献３】特開平２−１４７３０号公報
【発明の開示】
【発明が解決しようとする課題】
【００２２】
上述のように、従来構造、ガス循環方式のオートクレーブでは、加工材の長さが長い程、上流側と下流部との雰囲気温度の差が大きくなる傾向にある。
又、機械構造的に見ても、負荷熱量は炉床部の方が天井部に比べて圧倒的に大きくなるので、床面に向かって温度も下がり易く、ガスの流速も低下傾する。
ワークゾーン内のガス流れが成形材に直角方向の場合は、成形材の上下面で温度差が生じ易く、流れが生じない場所ができる事がある。流速分布が乱れ、雰囲気ガスの温度分布・風速にバラツキが生じる。
ワークゾーン内における雰囲気ガスの温度分布が不均一だと、成形品の品質にバラツキが生じる恐れがあって成形材の装填方法にも留意する必要があり、又、加工時間に余裕を採らねばならず、オートクレーブの稼働能率に影響する。
【００２３】
特に、最近の航空機の開発目標としての、高速化・機体の軽量化に伴って、繊維強化プラスチックの多用化が進展しており、長尺用複合材の一体加工設備の整備要望が急速に高まり、長尺用オートクレーブの設置が早急に求められる情勢になっている。
そこで本願発明は、上述各不都合な現状を解決するオートクレーブのガス循環方法・装置を提供する事を目的とする。
【課題を解決するための手段】
【００２４】
本発明のガス循環方式を要約すると、次の通りである。
（１）圧力容器内に同容器と略、同心に設置した両端開放のマッフル炉の外壁と前記圧力容器内壁との間に外通風路を設け、前記マッフル炉の一方端に隣接してクーラー・メインヒーターを設けると共に、クーラー・メインヒーターに対して直列に圧力容器の一端に配置したファンを駆動し、マッフル炉内のガスをクーラー・メインヒーターを通して吸引し外通風路を流通させ、圧力容器の他方端で反転して、再び、マッフル炉内に戻すような循環経路を形成した、圧力容器内で材料を加圧・加熱、冷却し、成形材を接着成形するオートクレーブにおいて、前記マッフル炉内を長手軸方向に境界を設けずに複数のセクションに区画し、それぞれのセクション毎に、圧力容器外壁の長手軸方向に間隔を置いて撹拌用モーターを設置し、前記モーターのシャフトを圧力容器の長手軸心に対して直角方向に配置し、その端部を前記外通風路及びマッフル炉壁を貫通して前記炉内に伸出せしめ、前記シャフトの先端に撹拌扇を取付け、対応してマッフル炉内側壁に補助ヒーターを設置し、各補助ヒーターによってマッフル炉内を流通するガスへ成形材・治具・工具等に消費した熱量を補給する一方、撹拌扇で前記ガス流を撹拌・混合して、マッフル炉内のガスの主たる流れに混・乱流を発生させることを特徴とするオートクレーブの熱風循環方法。
【００２５】
（２）マッフル炉内を長手軸方向に境界を設けずに複数のセクションに区画し、それぞれのセクション毎に温度調節センサーを配置して、前記温度調節センサーからの信号に基づき、各セクション内の雰囲気温度を設定値に保持するよう、補助ヒーターの出力を制御することよりなる上記第（１）項記載のオートクレーブの熱風循環方法。
【００２６】
（３）筒形圧力容器内で、同圧力容器と略、同心に設置した両端開放のマッフル炉の外壁と圧力容器内壁との間に外通風路を設け、マッフル炉の一方端に隣接してクーラー・メインヒーターを設けると共に、クーラー・メインヒーターに対して直列に圧力容器の一端に配置したファンを駆動して、マッフル炉内のガスを吸引し外通風路を流通させ、圧力容器の他方端で反転して、再び、マッフル炉内に戻すような循環経路を形成した、圧力容器内で材料を加圧・加熱、冷却し、成形材を接着成形するオートクレーブにおいて、前記マッフル炉内を長手軸方向に境界を設けずに複数のセクションに区画し、それぞれのセクション毎に、圧力容器外壁上部の長手軸方向に間隔を置いて撹拌用モーターを設置し、前記モーターのシャフトを圧力容器の長手軸心に対し直角方向に配置して、その端部を前記外通風路及びマッフル炉壁を貫通して前記炉内に伸出せしめ、前記シャフトの先端に撹拌扇を取付け、マッフル炉内側壁に対応して一対の補助ヒーターを設置し、前記補助ヒーターによってマッフル炉内を流通するガスに対し、成形材・治具・工具等に消費した熱量を補給する一方、各撹拌扇で前記ガス流を撹拌・混合して、マッフル炉内のガスの主たる流れに混・乱流を発生させることよりなるオートクレーブの熱風循環装置。
【発明の効果】
【００２７】
ワークゾーン内を、長手軸方向に境界を設けず各セクションに区画し、それぞれのセクション毎に補助ヒーターを配置して、ゾーン内を上流側から下流側へガスが流れる途中で成形材等に吸収された熱量を補充し、水平方向での加熱ガス流の温度を略、一定に維持することにより、上流側と下流側との間に生じる雰囲気ガスの温度差を大幅に減少させ（例えば、２°Ｃ以内）、オートクレーブでの成形品の均一性成形・仕上がりの良さと、接着・成形工程の時間の短縮とを期待する事ができる。
【００２８】
又、各セクション毎に補助ヒーターを配置しただけでは、ヒーターの熱量配分に不均一が生じる恐れがあるので、ワークゾーン内の上部付近に撹拌扇を設け熱風を拡散、循環させ、雰囲気の温度分布の均等を図る。
ただし、前記撹拌扇は各セクション内でガスの撹拌を行うので、ワークゾーン１０内を長手軸方向に上流側から下流側に流れるガス流量は、圧力容器底に配置した熱風循環ファン８の風量である。
【００２９】
ワークゾーン内の加熱ガスの主流に対し、直交する方向に撹拌扇で加熱ガスを補助的に拡散・混合させる事により、従来技術において直角断面内に生じるガスの偏流を減少させる結果、成形材に接触するガスの流速ムラが減少し、全体的に温度差を減少させる。
従って、ガスの平均流速は水平方向の何処の断面においても略、一定で、断面内の流速ムラを解消し、水平方向でのガスの温度分布を、略、一定に保つことができる。
【発明を実施するための最良の形態】
【００３０】
主熱風循環ファンは従来通りとして全体のガス循環方式を堅持する水平循環型オートクレーブにおいて、ワークゾーンを水平軸方向（ガス循環方向き）に境界を設けずに複数のセクションに区画し、各セクション毎に補助ヒーターを設け、これにより途中で成形材等により吸収されるガス熱量を補充して、上流側と下流側とのガス雰囲気温度を可及的に均一にして、成形材の間に生じる温度差を大幅に減少させる。
【００３１】
ただし、複数個の補助ヒーターを追加するだけでは、各ヒーターの近傍の成形材のみを加熱するだけの可能性があるため、各セクション内でそれぞれ撹拌扇を回して、補助熱量をガス流中に均等に拡散させる。
この撹拌扇は、容量が小さいので、ワークゾーン１０内のガスの主たる流れは熱風循環ファンの流れに従い、略、水平方向である事を特徴とする。
加熱ガスは、主調節用温度プログラム調節計（ＴＰＣ）により、炉内温度を調節する一方、その設定温度を各セクションに対応する温度調節計（ＴＣ１〜ＴＣ４）に送り、各セクション毎の温度調節を可能にする（図３参照）。
【実施例１】
【００３２】
図１（ａ）は、本発明方法・装置の一実施例の横断面図、図２は、その縦断面図で、図中、全体構造、使用されている部品名、形状、添付符号はそれぞれ、前述背景技術の説明、特に水平循環型オートクレーブの解説に挙げたものと同一であるから、ここでは、そこで説明されていない部材、特に説明を要する構成要素以外は、解説を省略する。
【００３３】
本実施例においては、ワークゾーン１０を長手軸方向に境界を設けず複数のセクションに区画すると共に、それぞれのセクション毎に、筒形圧力容器２の上部外壁の軸線方向に沿い前記容器の軸心に直角方向の回転軸を備えた撹拌モーター１３ａ、１３ｂ、１３ｃ…を配置し、当該回転軸を圧力容器２壁、外通風路（ガス循環路）４及びマッフル炉３壁を貫いてワークゾーン１０内に延伸させ、先端にそれぞれ撹拌扇１４ａ、１４ｂ、１４ｃ…を取り付ける。各撹拌扇１４…（１４ａ、１４ｂ、１４ｃ…を代表する）は、従って、ワ，ークゾーン１０内、マッフル炉３内壁天井付近に配置され、それぞれ区画された各セクション内に流通するガスを格別に撹拌、混合する。
【００３４】
なお、圧力容器２の内壁とマッフル炉３外壁との間に形成された外通風路４は、水平循環型オートクレーブの加熱ガスの水平往路に使用されているため、撹拌扇１４…がその領域で作動する余地は全く無い。
更に、各セクション毎に、撹拌扇１４…に対応してマッフル炉３内壁の対向面にそれぞれ、補助ヒーター１７ａ、１７ｂ、１７ｃ…が配置されている。
前記一対の補助ヒーター１７…（１７ａ、１７ｂ、１７ｃ…を代表する）は、容量に較べて薄くかつ表面積を拡げて設け、補助ヒーター１７…の表面に沿ってガスが流通する事を妨げず、又その間に満遍なく、かつ均等に加熱するように配慮されている。
【００３５】
各撹拌扇１４…は、撹拌モーター１３…（１３ａ、１３ｂ、１３ｃ…を代表する）の回転・駆動によって各セクション内を流れる加熱ガスをマッフル炉３（断面）左右内壁に沿って炉底面側に送風する間に、加熱ガスは一対の補助ヒーター１７…に触れて加熱されると共に、各セクションの底部付近で対向・反転（反転補助駒を備える事も可）して上昇し、ワークゾーン１０内の成形材の間を通って流れ、再び、撹拌扇１４…に戻る循環流を、各セクション内で形成する（図２参照）。
【００３６】
この撹拌扇１４…の回転によるガスの流れは、各セクション内において、太線矢印の示す通り〔図１（ａ）、図２参照〕である。これにより、成形材の長手方向中央部で、台車や材料の影響を受けて偏るガスの流れを上部から下底部に、かつ、下底部から上部に流して偏流を防ぐ事ができる。
また、圧力容器炉床部分の不均一な熱負荷による影響も解消する。
但し、撹拌扇１４…によるガス流れの撹拌・混合範囲は各セクションの領域内に限られるよう小規模に制御されており、全体の（水平）循環流を無効にするおそれはない。
上記各セクションに所属する撹拌モーター１３…、撹拌扇１４…の配置は、必ずしも圧力容器２の上部外壁のみを選択する事を要さず、例えば、容器２底面外側壁又は容器の上部外壁と底面外側壁とに交互に分配、配置しても良い。
【００３７】
再度、図１（ａ）に戻って、ワークゾーン１０の各セクションには、マッフル炉天井壁を貫いて、それぞれ、温度調節センサーＪ、Ｊ１、Ｊ２、Ｊ３…が設けてあって、それぞれの信号を主温度調節計ＴＣ、補助温度調節計ＴＣ１、ＴＣ２、ＴＣ３…に入力するようにされており、ワークゾーン１０内の加熱ガス温度を調節、制御することができる制御システムに繋がっている。
【００３８】
図３は、上記制御システムのフローチャートの一実施例を示すもので、主調節センサーＪは主温度調節計ＴＣに連結しており、調節計ＴＣは、温度プログラム調節計ＴＰＣのコントロールを受けてオートクレーブ全体の雰囲気ガス温度を調節するため、それぞれ、ヒーター５、クーラー６及び循環ファン８を制御する。
各セクションに属する補助センサーＪ１、Ｊ２１、Ｊ３…は、主温度調節計ＴＣのコン
トロールの許にある補助温度調節計ＴＣ１、ＴＣ２、ＴＣ３…に信号を入力して、各ＳＣＲ１（電力調整器）、ＳＣＲ２、ＳＣＲ３…を介して補助ヒーター１７…に印加される電力をコントロールするよう配置されている。
【００３９】
各セクションの雰囲気温度がプログラム設定値から逸脱したときには、補助ヒーター１７…に印加される電力を加減して、循環ガスに与える熱量を調節し、各セクションの雰囲気温度が設定値に戻る方向に制御される。
本実施例の場合、撹拌扇１４…は、所定回転数で駆動されている。
【００４０】
図１（ｂ）は、ワークゾーン１０内の長手軸方向の雰囲気温度をグラフにして示したもので、図中、ｘ軸は、ワークゾーンの上流側から下流側長さＬ、ｙ軸は、雰囲気温度ｔ°Ｃとした。
水平循環型ガス流の雰囲気温度は、ワークゾーン内を成形材に沿って流れ下る間に、成形材、治具・工具、台車等に熱を奪われて、漸次、温度が低下する傾向にあるが、上流側から下流側に連なる補助ヒーターの制御と撹拌扇の回転とによって、その都度、熱量を補充され、ワークゾーン内の各部分の雰囲気ガスの温度を所望の範囲内に制御する事ができる。
【００４１】
従って、長尺材料、異形成形品の成形加工にも最適で、かつ、複数段積みの装填も可能である。
ワークゾーン内の各部分の雰囲気ガスの温度を所望の範囲内で制御する事ができたから、異形材、成形品に部分的な加工ムラが生じるおそれが無いし、操業（稼働）時間の短縮、作業効率も向上する。
【産業上の利用可能性】
【００４２】
航空機その他、大型で品質の安定した積層材の成形を必要とする産業の将来が期待されている。本願発明は、当該需要を見込んで、直径と軸方向長さとの比、所謂アスペクト比が大きいとか、ワークゾーン容量が巨大なオートクレーブに対しても、ワークゾーン内空間域の雰囲気温度差を許容範囲内に制御する技術を提供し、加工ムラのない安定した成形品を、経済的に製造することを可能にする。
【図面の簡単な説明】
【００４３】
【図１】本発明ガス循環方法、装置の一実施例の横断面略図
【図２】本発明ガス循環方法、装置の一実施例の縦断面略図
【図３】本発明ガス循環方法、装置に付属する制御装置のフローチャート
【図４】公知のガス水平循環型オートクレーブの横断面略図
【図５】公知のガス断面循環型オートクレーブの横断面略図
【図６】公知のガス断面循環型オートクレーブの縦断面略図
【符号の説明】
【００４４】
１  密閉扉
２  円筒状圧力容器
３  マッフル炉
４  外通風路（風胴）
５，１５  ヒーター
６，１６  クーラー
７  モーター
８  循環ファン
９  風胴
１０  ワークゾーン
１１  成形材（被加工材）
１２  加圧設備
１３  撹拌モーター
１４  撹拌扇
１７  補助ヒーター
【図１】
2006088049.tif 000003
【図２】
2006088049.tif 000004
【図６】
2006088049.tif 000005
【図３】
2006088049.tif 000006
【図４】
2006088049.tif 000007
【図５】
2006088049.tif 000008